(57)【要約】【課題】一般家庭用、病院用および要介護者用など、あらゆる分野のベッド広く適用できる汎用性の高い新しいタイプのベッドサイド安全柵及びその保持装置を提供する。【解決手段】安全柵の支柱下部を保持する支柱保持部材１と、この支柱保持部材を取り付けたベース部材２と、このベース部材をベッド下方のベースフレームに装着するための係止枠３とを一体的に備え、ベッドサイドの安全柵を直接床面に固定できるようにしたことを特徴とするベッド側部の安全柵固定装置【選択図】図１
0003123724.tif 000002
【実用新案登録請求の範囲】
【請求項１】
ベッドサイドの安全柵の支柱下部を保持する支柱保持部材１と、この支柱保持部材を取り付けるベース部材２と、このベース部材をベッド下方のベースフレームに装着するための係止枠３とを一体的に備え、安全柵の支柱下部を床面に立脚させた状態でこれを前記保持部材によって固定保持することにより、ベッドサイドの安全柵を直接床面に固定できるようにしたことを特徴とするベッド側部の安全柵固定装置。
【請求項２】
床面に平行な平板部とこれから垂直方向に延びた垂直部とからなるＬ型プレート６を併せ備え、このＬ型プレートの平板部を床面に当接させた状態でその一部を前記ベース部材と一体的にベースフレームに固定することにより、安全柵の床面固定をより安定化することを特徴とする請求項１に記載のベッド側部の安全柵固定装置。
【請求項３】
ベッドサイドの安全柵とその支柱部とを相互に伸縮可能に取り付けるとともに、両者間にロック手段を設けたことを特徴とする請求項１または２の何れかに記載のベッド側部の安全柵固定装置。
【請求項４】
安全柵の支柱下部を貫通保持する少なくとも一対の筒状保持部材１、１’と、この保持部材をベッドの縦方向に沿って間隔を隔てて保持するベース部材２と、このベース部材をベッド下方のベースフレームに係止する係止枠３と、前記ベース部材を床面に安定的に保持するためのL型プレート６とを一体的に備え、前記安全柵の少なくとも２本の支柱下部を筒状部材内を貫通させてその下端を床面に当接させた状態で、安全柵の支柱を保持部材にロックすることによりベッドサイドの安全柵を床面に固定することを特徴とする請求項１に記載のベッド側部の安全柵固定装置。
【請求項５】
１対の筒状部材１、１’にその内部を貫通する支柱をロックする第１のロック装置７、７’と、係止枠３にこれをベッド下部のベースフレームに固定する第２のロック装置８とを備えたことを特徴とする請求項４に記載のベッド側部の安全柵固定装置。
【考案の詳細な説明】
【技術分野】
【０００１】
この考案は、病院や介護施設で使われるベッドの外家庭やホテルの寝台など、あらゆる用途のベッドに適用できる新しいタイプのベッドサイド安全柵に関するもので、特にベッドサイドのフレームに固定しないフリータイプの安全柵に対応して、これを床面に安定的に固定できる装置を提供する。
【背景技術】
【０００２】
通常この種寝台には、人や寝具の落下防止と人が起き上がるときのグリップ機能を兼ねた安全柵がベッドサイドに設けられている。またこの安全柵は人が昇り降りする中央部分を除いて、頭の部分または足の部分のベッドサイドのフレームに一定の高さで垂直に植設されているものが多い。
【０００３】
従って昇降機能付のベッドにおいて、老人や病人がベッドから降りるためにベッドを低くした場合、ベッドに固定された安全柵も低い位置になるので、この安全柵を手摺り代わりに掴んで立ち上がるには低くなりすぎ、体の弱い人は自力では立ち上がりにくいという問題点もある。
【０００４】
このために要介護老人や身体障害者用の立ち上がり介助装置として、ベッド側部に、天井と床面に垂直に突っ張りポールを設置しておき、この突っ張りポールに手摺りやグリップ機能を設けたものも各種提案されている。（下記特許文献参照）
しかしこれらのものは、要介護者や病人専用の装置であって、それほど介護を要しない通常の老人や軽度の病人その他日常の家庭用ベッド向きでない外、上記専用介助装置には通常のベッド本来の安全柵としての機能は考慮されていない。
【特許文献１】特開平１０−１６５４５７号
【特許文献２】特開平１０−２３４７８９号
【特許文献３】特開平１０−２４８８８１号
【考案の開示】
【考案が解決しようとする課題】
【０００５】
この考案は以上の問題点に鑑み、通常の家庭用や老人用ベッドのベッドサイド安全柵としての機能を損なわずに、必要に応じて病人や要介護者の介助用具として機能するフリータイプの安全柵を提供し、これをベッドサイドの床面に安定的に固定する装置を提供したものである。
【課題を解決するための手段】
【０００６】
上記課題を解決する手段として、ベッドサイドの安全柵の支柱下部を保持する支柱保持部材と、この支柱保持部材を取り付けるベース部材と、このベース部材をベッド下方のベースフレームに装着するための係止枠とを一体的に備えた構造体を要部構成として提供したもので、安全柵の支柱下部を床面に立脚させた状態で前記保持部材によって把持するとともに、前記係止枠をベッドのベースフレームに装着することにより、ベッドサイドの安全柵を直接床面に強固に固定できるようにしたものである。
【０００７】
また第２の考案として、ベッドサイドの安全柵の支柱下部を貫通保持する一対の筒状部材と、この筒状部材をベッドの縦方向に沿って間隔を隔てて保持するベース部材と、このベース部材をベッド下方のベースフレームに係止する係止枠と、前記ベース部材を床面に安定的に保持するためのL型プレートとを一体的に組み合わせた構造体を提供し、安全柵の少なくとも２本の支柱下部を筒状部材内を貫通させてその下端を床面に当接させた状態で安全柵の支柱を筒状部材にロックすることにより、ベッドサイドの安全柵を床面により強固に且つ安定的に固定できるようにしたものである。
【考案の効果】
【０００８】
本考案によれば、通常ベッドサイドのフレームに固定されている安全柵をサイドフレームとはフリーの状態とし、ベッド側部の任意の位置に装備できるとともに、介助用の手摺りやグリップバーとしての機能も併せ備え、且つその高さや左右位置もベッド使用者のニーズに合わせて自由に調整・設定できる。
またこのフリータイプの安全柵を床面に強固且つ安定的に固定できるので、病人などがこの安全柵を掴んで体重を寄せてもぐらつくことがないなど、汎用の寝台の外病院・介護用のベッド等広範な用途に対応でき、実用的に極めて有用な効果を奏するものである。
【考案を実施するための最良の形態】
【０００９】
以下この考案のベッド用安全柵の実施例を図面に基いてその構造及び動作を説明する。
図１は本考案の要部である安全柵固定装置の構造説明用斜視図で、１、１’はベッドサイドの安全柵Ａの支柱Ｂ、Ｂ’（図２参照）の下部を貫通保持する左右一対の筒状保持部材、２はこの一対の筒状部材をベッドの縦方向に沿って間隔を隔てて保持する二股状のベース部材で、そのその基部にはコの字型の係止枠３が取り付けられている。
【００１０】
この係止枠３は、鎖線で示すベッド下方のベースフレームＤに装着できるようになっており、矢印方向にスライドさせてネジなどのロック手段８で任意の位置に固定する。これにより、ベッド使用者にニーズに応じて任意の位置に安全柵を配置できる
これら係止枠３、二股状のベース部材２、一対の筒状保持部材１、１’は金属製で相互に接合その他の手段で一体的に結合組み合わされる。７、７’は筒状保持部材１、１’内に挿入された安全柵の支柱をこの保持部材に固定するロックネジである。
【００１１】
６は、このベース部材２、保持部材１、１’などからなる安全柵固定装置（床面から若干離れた位置にセットされる）を床面に対してより安定的に固定するためのＬ型プレートで、直接床面に当接する平板部４と垂直部５とからなり（図４参照）、垂直部が図に示すように係止枠３の裏側においてベースフレームＤに固定され、結果的にベース部材２と一体的に結合される。即ちベース部材２はベースフレームＤとＬ型プレート６によって、床面から若干浮き上がった状態で安定的に固定され、この状態で安全柵を強固に保持する。
【００１２】
図２、３は、実施例図１の固定装置１、２、３、６をベッドサイドに取り付けた場合の動作説明図で、Ａ、Ａ’は安全柵、Ｅ、Ｆはベッドの床面とその頭部保護板、Ｇはサイドフレーム、Ｈ、Ｈ’は従来の安全柵取付け用フレームで通常ベッドのサイドフレームＧの側部に設けられている。
【００１３】
通常の安全柵はＡ’に示すように取付けフレームＨ’に固定設置されているが、本実施例を適用する場合はフレームＨに安全柵Ａを固定せず図のように貫通穴を通して延長された支柱Ｂ、Ｂ’を下方の床面まで誘導する。
【００１４】
実施例のベース部材２は、この延長垂下された支柱Ｂ、Ｂ’の下方に位置し、支柱Ｂ’の下部を筒状保持部材１に貫通させて下端を床面に当接させた状態でネジ７で支柱を保持固定する。この図の場合は安全柵Ａの３本の支柱の内２本の支柱下部を保持部材１、１’で保持固定する例である。
ベース部材２に筒状保持部材を３個設けた場合は、安全柵の支柱を３本とも床面まで延長し各保持部材で固定することも可能であり、又支柱の１本だけを１個の保持部材で把持しても略同じ効果が得られる。
【００１５】
また本例では、安全柵Ａの支柱ＢとＢ’は二重パイプ構造とし、ＢとＢ’とは伸縮自在となっているので、ベッドの床面Ｅの高さに合わせてその長さを自由に延長し、ロック装置９、９’によって適当な長さの位置で両者をロックすることにより、安全柵Ａの高さはベッド使用者に合わせて最適状態に調節できる。
図の固定装置１、２、３、６の機能・構成は図１で説明したとおりである。
【００１６】
図３はフレームＨを取り外した場合の例で、本実施例の固定装置は何れの場合であっても適用でき、又フレームＨを残してその外側に本考案の装置で安全柵を立てることも、更にはフレームＨ上に従来の安全柵を設置した状態で、その外側に若干位置をずらせて本考案の床面設置型安全柵を固定することも当然可能である。
【００１７】
図４はベッド下方にあるベースフレームＤと係止枠３及びＬ型プレート６との取り付け構造を示す断面図で、Ｌ型プレートの垂直板５とベース部材の係止枠３とを図のようにベースフレームＤを挟んでボルト・ナットなどのロック機構８によって一体的に締め付けて固定する。樹脂キャップは締付けナットのカバーで２、３、６の位置を調整固定した後ナット部に矢印方向に被せる。
【００１８】
Ｌ型プレートの平板部４を安全柵の支柱Ｂ’の下端と同一の床面に当接するようにベースフレームＤに取り付けることにより、本実施例の固定装置は床面に安定するので、要介護者や病人などが安全柵の上部を掴んで力をかけてもぐらつくことがない。即ち立ち上がり用の介助補助部材としても十分機能し且つ安全性も高い。
【００１９】
[変形実施例の説明]
以上の実施例では、ベース部材２を二股状に形成し先端に筒状保持部材１、１’をベッドの縦方向に沿って一対設けた例を示したが、保持部材を１個だけ設け安全柵の支柱１本だけを強固に保持するように構成しても通常の安全柵の機能は十分維持できる。また支柱保持部材は、支柱の形状に合わせて角型、コの字型にしてもよく、更にネジ込み式やグリップ環方式など各種の把持装置が適用できる。
【００２０】
Ｌ型プレートは係止部材の裏面に取り付ける例について説明したが、ベース部材に直接取り付けてもよく、要は安全柵の支柱を固定するベース部材をベッドのベースフレームに装着した場合、これが床面に対してぐらついたり傾かないよう安定に保持する補助機能が達成できるように取り付ければよい。
またこのＬ型プレートはベース部材を安定するための補助部材であるので、安全柵にそれほど負荷がかからない場合（幼児用ベッドなど）は省略できるものである。
【図面の簡単な説明】
【００２１】
【図１】この考案に係る安全柵固定装置の要部構造を示す斜視図である。
【図２】図１の固定装置をベッドの側部に取り付けた場合のベッド本体と安全柵との配置関係を示す動作説明図である。
【図３】図２の図において安全柵取り付けフレームを取り外した状態を示す説明図である。
【図４】Ｌ型プレートの取り付け態様の一例を示す側断面図である。
【符号の説明】
【００２２】
１． 安全柵の支柱下部保持部材
２． ベース部材
３． 係止枠
４． Ｌ型プレートの平板部
５． Ｌ型プレートの垂直部
６． Ｌ型プレート
７． ロックネジ
８． ロック手段
９． ロック機構
Ａ.    安全柵
Ｂ.Ｂ’全柵の支柱部
Ｄ.    ベッドのベースフレーム
Ｅ.    ベッド床面
Ｆ.    ベッドの頭部保護壁
Ｇ.    ベッドのサイドフレーム
Ｈ.    安全柵取り付けフレーム
【図１】
0003123724.tif 000003
【図２】
0003123724.tif 000004
【図３】
0003123724.tif 000005
【図４】
0003123724.tif 000006